(57)【要約】【課題】  対物レンズのレンズホルダーへの固定調整動作を簡単に行うことが出来る光ピックアップ装置を提供する。【解決手段】  光ディスクの信号面方向に突出した輪環状の鍔部１ｂが形成されている対物レンズ１の集光レンズ部１ａの下面が挿入される取付孔５が形成されているとともに支持ワイヤー４にて光ディスクの信号面方向への変位動作を可能に支持され、且つフォーカスコイル７が設けられているレンズホルダー３を備え、前記取付孔５の周縁平坦部５ａの対物レンズ１の光軸中心を中心として点対称となる位置に対物レンズ１の鍔部１ｂが載置される一対の調整用突部８ａ、８ｂを設け、該調整用突部８ａ、８ｂを支点として対物レンズ１を回動変位させ、該対物レンズ１を最適取付位置に回動させた状態にて鍔部１ｂをレンズホルダー３に接着固定することによって対物レンズ１をレンズホルダー３に固定する。【選択図】  図１
2008300009.tif 000002
【特許請求の範囲】
【請求項１】
集光レンズ部の外周部に該集光レンズ部の上面より光ディスクの信号面方向に突出した輪環状の鍔部が形成されている対物レンズと、該対物レンズの集光レンズ部の下面が挿入される取付孔が形成されているとともに支持ワイヤーにて光ディスクの信号面に対して垂直方向への変位動作及び光ディスクの径方向への変位動作を可能に支持され、且つフォーカスコイルが設けられているレンズホルダーを備えた光ピックアップ装置であり、前記取付孔の周縁平坦部の対物レンズの光軸中心を中心として点対称となる位置に対物レンズの鍔部が載置される一対の調整用突部を設けるとともに対物レンズの鍔部を基準ディスクの基準面に押圧当接させることによって前記調整用突部を支点として対物レンズを回動変位させ、該対物レンズを最適取付位置に回動させた状態にて鍔部をレンズホルダーに接着固定することによって対物レンズをレンズホルダーに固定するようにしたことを特徴とする光ピックアップ装置。
【請求項２】
集光レンズ部の外周部に該集光レンズ部の上面より光ディスクの信号面方向に突出した輪環状の鍔部が形成されている第１及び第２の対物レンズと、該第１対物レンズ及び第２対物レンズの各集光レンズ部の下面が挿入される第１取付孔及び第２取付孔が形成されているとともに支持ワイヤーにて光ディスクの信号面に対して垂直方向への変位動作及び光ディスクの径方向への変位動作を可能に支持され、且つフォーカスコイルが設けられているレンズホルダーを備えた光ピックアップ装置であり、前記第１取付孔及び第２取付孔の各周縁平坦部の各対物レンズの光軸中心を中心として点対称となる位置に各対物レンズの各鍔部が載置される一対の調整用突部を設けるとともに対物レンズの鍔部を基準ディスクの基準面に押圧当接させることによって前記調整用突部を支点として各対物レンズを回動変位させ、各対物レンズを最適取付位置に回動させた状態にて各々の鍔部をレンズホルダーに接着固定することによって各対物レンズをレンズホルダーに固定するようにしたことを特徴とする光ピックアップ装置。
【請求項３】
ターンテーブルに基準ディスクを固定し、該基準ディスクに設けられている基準面に対物レンズに形成されている鍔部の上面を押圧当接させたとき、基準ディスクの鍔部への押圧力によって対物レンズを最適取付位置に回動させるようにしたことを特徴とする請求項１または請求項２に記載の光ピックアップ装置。
【請求項４】
第１対物レンズの光軸中心軸と第２対物レンズの光軸中心軸とを結ぶ直線方向を光ディスクの径方向に一致させたことを特徴とする請求項２に記載の光ピックアップ装置。
【請求項５】
第１取付孔の周縁平坦部に設けられた一対の調整用突部と第２取付孔の周縁平坦部に設けられた一対の調整用突部とが一直線上に位置するように配置したことを特徴とする請求項４に記載の光ピックアップ装置。
【請求項６】
基準ディスクに第１対物レンズの鍔部に当接する第１基準面及び第２対物レンズの鍔部に当接する第２基準面を設け、第１基準面及び第２基準面に第１対物レンズの鍔部及び第２対物レンズの鍔部を押圧当接させたとき、第１基準面及び第２基準面の鍔部への押圧力によって第１対物レンズ及び第２対物レンズを最適取付位置に回動させるようにしたことを特徴とする請求項５に記載の光ピックアップ装置。
【請求項７】
対物レンズの基準ディスクの基準面への押圧動作をフォーカスコイルへ駆動信号を供給することによって行うようにしたことを特徴とする請求項１または請求項２に記載の光ピックアップ装置。
【請求項８】
紫外線硬化型接着剤にて対物レンズの鍔部をレンズホルダーに接着固定するようにしたことを特徴とする請求項１または請求項２に記載の光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格やＨＤ  ＤＶＤ（High Density Digital Versatile Disk）規格の光ディスクを使用するものが開発されている。
【０００４】
ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作を行うレーザー光としては、波長が６５０ｎｍの赤色光が使用されている。
【０００５】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００６】
斯かるＣＤ規格及びＤＶＤ規格の光ディスクに対して、Ｂｌｕ−ｒａｙ規格やＨＤ  ＤＶＤ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と規定されている。
【０００８】
一方、ＨＤ  ＤＶＤ規格の光ディスクにおける信号記録層の上面に設けられている保護層の厚さは、０．６ｍｍであり、この信号記録層から信号の読み出し動作を行うために使用される対物レンズの開口数は、０．６５と規定されている。
【０００９】
前述したようにＢｌｕ−ｒａｙ規格やＨＤ  ＤＶＤ規格の光ディスクに記録されている信号の読み出し動作を行うためのレーザー光としては、波長が４０５ｎｍの青紫色光を使用することが出来るので、レーザーダイオードを兼用することによって両規格の光ディスクから信号の読み出し動作を行うことが出来る光ピックアップ装置を作ることが出来る。
【００１０】
また、最近では、前述したＣＤ規格及びＤＶＤ規格の光ディスクだけでなく、Ｂｌｕ−ｒａｙ規格やＨＤ  ＤＶＤ規格の光ディスクも使用することが出来る光ディスク装置の製品化が行われている。斯かる光ディスク装置に使用される光ピックアップ装置は、当然使用可能な規格の光ディスクに設けられている信号記録層から信号の読み出し動作や該信号
記録層への信号の記録動作を行うことが出来るように構成されることになる。
【００１１】
斯かる光ピックアップ装置は、前述した波長のレーザー光を単一の対物レンズにて光ディスクの信号記録層に照射させることが困難であるため、例えばＣＤ規格及びＤＶＤ規格の光ディスクにレーザー光を照射する対物レンズと例えばＢｌｕ−ｒａｙ規格の光ディスクにレーザー光を照射する対物レンズの２つの対物レンズが使用されることになる。（特許文献１参照。）
光ピックアップ装置に組み込まれている対物レンズは、周知のように複数の支持ワイヤーによって光ディスクの信号面に対して垂直方向、即ちフォーカス方向及び光ディスクの径方向、即ちトラッキング方向への変位を可能に設けられているレンズホルダー上に固定されている。
【００１２】
対物レンズはその光軸が、光ディスクの信号面に対して最適な角度になるようにレンズホルダーに固定されるが、２つの対物レンズが１つのレンズホルダーに固定されている光ピックアップ装置では、２つの対物レンズを正確に固定することが重要である。斯かる２つの対物レンズをレンズホルダーに調整固定する技術が提案されている。(特許文献２参照。)
【特許文献１】特開平１１−２３９６０号公報
【特許文献２】特開２００６−１９００１号公報
【発明の開示】
【発明が解決しようとする課題】
【００１３】
特許文献２に記載の技術は、対物レンズが取り付けられる取付孔の載置面を曲面にし、その曲面を利用して対物レンズの角度を調整するように構成されているとともにその調整動作をレーザー光の対物レンズへの照射動作を利用して行うようにされている。
【００１４】
斯かる調整固定方法は、レンズホルダーの固定位置とレーザー光の照射装置の固定位置等を正確に制御する必要があるだけでなく、調整装置の大型化や複雑化を招き、光ピックアップ装置の組み立て方法として問題があった。
【００１５】
本発明は、斯かる問題を解決することが出来る光ピックアップ装置を提供しようとするものである。
【課題を解決するための手段】
【００１６】
本発明は、集光レンズ部の外周部に該集光レンズ部の上面より光ディスクの信号面方向に突出した輪環状の鍔部が形成されている対物レンズと、該対物レンズの集光レンズ部の下面が挿入される取付孔が形成されているとともに支持ワイヤーにて光ディスクの信号面に対して垂直方向への変位動作及び光ディスクの径方向への変位動作を可能に支持され、且つフォーカスコイルが設けられているレンズホルダーを備え、前記取付孔の周縁平坦部の対物レンズの光軸中心を中心として点対称となる位置に対物レンズの鍔部が載置される一対の調整用突部を設けるとともに対物レンズの鍔部を基準ディスクの基準面に押圧当接させることによって前記調整用突部を支点として対物レンズを回動変位させ、該対物レンズを最適取付位置に回動させた状態にて鍔部をレンズホルダーに接着固定することによって対物レンズをレンズホルダーに固定するように構成されている。
【００１７】
また、本発明は、集光レンズ部の外周部に該集光レンズ部の上面より光ディスクの信号面方向に突出した輪環状の鍔部が形成されている第１及び第２の対物レンズと、該第１対物レンズ及び第２対物レンズの各集光レンズ部の下面が挿入される第１取付孔及び第２取付孔が形成されているとともに支持ワイヤーにて光ディスクの信号面に対して垂直方向への変位動作及び光ディスクの径方向への変位動作を可能に支持され、且つフォーカスコイ
ルが設けられているレンズホルダーを備え、前記第１取付孔及び第２取付孔の各周縁平坦部の各対物レンズの光軸中心を中心として点対称となる位置に各対物レンズの各鍔部が載置される一対の調整用突部を設けるとともに対物レンズの鍔部を基準ディスクの基準面に押圧当接させることによって前記調整用突部を支点として各対物レンズを回動変位させ、各対物レンズを最適取付位置に回動させた状態にて各々の鍔部をレンズホルダーに接着固定することによって各対物レンズをレンズホルダーに固定するように構成されている。
【００１８】
そして、本発明は、ターンテーブルに基準ディスクを固定し、該基準ディスクに設けられている基準面に対物レンズに形成されている鍔部の上面を押圧当接させたとき、基準ディスクの鍔部への押圧力によって対物レンズを最適取付位置に回動させるように構成されている。
【００１９】
また、本発明は、第１対物レンズの光軸中心軸と第２対物レンズの光軸中心軸とを結ぶ直線方向を光ディスクの径方向に一致させるように構成されている。
【００２０】
更に、本発明は、第１取付孔の周縁平坦部に設けられた一対の調整用突部と第２取付孔の周縁平坦部に設けられた一対の調整用突部とが一直線上に位置するように配置したことを特徴とするものである。
【００２１】
そして、本発明は、基準ディスクに第１対物レンズの鍔部に当接する第１基準面及び第２対物レンズの鍔部に当接する第２基準面を設け、第１基準面及び第２基準面に第１対物レンズの鍔部及び第２対物レンズの鍔部を押圧当接させたとき、第１基準面及び第２基準面の鍔部への押圧力によって第１対物レンズ及び第２対物レンズを最適取付位置に回動させるようにしたことを特徴とするものである。
【００２２】
また、本発明は、対物レンズの基準ディスクの基準面への押圧動作をフォーカスコイルへ駆動信号を供給することによって行うように構成されている。
【００２３】
そして、本発明は、紫外線硬化型接着剤にて対物レンズの鍔部をレンズホルダーに接着固定するように構成されている。
【発明の効果】
【００２４】
本発明の光ピックアップ装置は、集光レンズ部の外周部に該集光レンズ部の上面より光ディスクの信号面方向に突出した輪環状の鍔部が形成されている対物レンズと、該対物レンズの集光レンズ部の下面が挿入される取付孔が形成されているとともに支持ワイヤーにて光ディスクの信号面に対して垂直方向への変位動作及び光ディスクの径方向への変位動作を可能に支持され、且つフォーカスコイルが設けられているレンズホルダーを備え、前記取付孔の周縁平坦部の対物レンズの光軸中心を中心として点対称となる位置に対物レンズの鍔部が載置される一対の調整用突部を設けるとともに対物レンズの鍔部を基準ディスクの基準面に押圧当接させることによって前記調整用突部を支点として対物レンズを回動変位させ、該対物レンズを最適取付位置に回動させた状態にて鍔部をレンズホルダーに接着固定することによって対物レンズをレンズホルダーに固定するようにしたので、レンズホルダーへの対物レンズの固定動作を簡単、且つ正確に行うことが出来る。
【００２５】
また、本発明の光ピックアップ装置は、集光レンズ部の外周部に該集光レンズ部の上面より光ディスクの信号面方向に突出した輪環状の鍔部が形成されている第１及び第２の対物レンズと、該第１対物レンズ及び第２対物レンズの各集光レンズ部の下面が挿入される第１取付孔及び第２取付孔が形成されているとともに支持ワイヤーにて光ディスクの信号面に対して垂直方向への変位動作及び光ディスクの径方向への変位動作を可能に支持され、且つフォーカスコイルが設けられているレンズホルダーを備え、前記第１取付孔及び第
２取付孔の各周縁平坦部の各対物レンズの光軸中心を中心として点対称となる位置に各対物レンズの各鍔部が載置される一対の調整用突部を設けるとともに対物レンズの鍔部を基準ディスクの基準面に押圧当接させることによって前記調整用突部を支点として各対物レンズを回動変位させ、各対物レンズを最適取付位置に回動させた状態にて各々の鍔部をレンズホルダーに接着固定することによって各対物レンズをレンズホルダーに固定するようにしたので、２つの対物レンズのレンズホルダーへの固定動作を簡単、且つ正確に行うことが出来る。
【００２６】
そして、本発明の光ピックアップ装置は、ターンテーブルに基準ディスクを固定し、該基準ディスクに設けられている基準面に対物レンズに形成されている鍔部の上面を押圧当接させたとき、基準ディスクの鍔部への押圧力によって対物レンズを最適取付位置に回動させるようにしたので、即ち光ピックアップ装置の使用目的である光ディスクからの信号の再生動作等に準じた調整動作を行うことが出来るので、対物レンズを最適な位置に設定することが出来る。
【００２７】
また、本発明の光ピックアップ装置は、第１対物レンズの光軸中心軸と第２対物レンズの光軸中心軸とを結ぶ直線方向を光ディスクの径方向に一致させたので、対物レンズの取付調整を効率良く行うことが出来る。
【００２８】
そして、本発明の光ピックアップ装置は、第１取付孔の周縁平坦部に設けられた一対の調整用突部と第２取付孔の周縁平坦部に設けられた一対の調整用突部とが一直線上に位置するように配置したので、第１対物レンズと第２対物レンズの調整動作を同時に行うことが出来る。
【００２９】
また、本発明の光ピックアップ装置は、対物レンズの基準ディスクの基準面への押圧動作をフォーカスコイルへ駆動信号を供給することによって行うようにしたので、即ち光ピックアップ装置が備えているフォーカスコイルを利用して対物レンズの最適取付位置への変位調整動作を行うようにしたので、構成が簡単になるという利点を有している。
【００３０】
そして、本発明の光ピックアップ装置は、紫外線硬化型接着剤にて対物レンズの鍔部をレンズホルダーに接着固定するようにしたので、接着固定作業を容易に行うことが出来るという利点を有している。
【実施例】
【００３１】
図１は本発明の光ピックアップ装置の要部を示す分解斜視図、図２は対物レンズの調整固定動作を行う途中の状態を示す要部の正面図、図３は対物レンズの調整固定動作が行われた状態を示す要部の正面図、図４は本発明に係る対物レンズの構成を示す側断面図である。
【００３２】
図１において、１は例えばＣＤ規格及びＤＶＤ規格の光ディスクに記録されている信号の再生動作を行うレーザー光を光ディスクの信号記録層に集光させる第１対物レンズであり、集光レンズ部１ａ及び該集光レンズ部１ａの外周部に輪環状の鍔部１ｂが設けられている。２は例えばＢｌｕ−ｒａｙ規格の光ディスクに記録されている信号の再生動作を行うレーザー光を光ディスクの信号記録層に集光させる第２対物レンズであり、集光レンズ部２ａ及び該集光レンズ部２ａの外周部に輪環状の鍔部２ｂが設けられている。
【００３３】
前述したように第１対物レンズ１及び第２対物レンズ２の外周部には輪環状の鍔部１ｂ及び２ｂが形成されているが、図４に示すように斯かる鍔部１ｂ及び２ｂは、集光レンズ部１ａ及び２ａの上面より光ディスクの信号面方向に突出するように構成されている。斯かる構成の鍔部１ｂ及び２ｂが第１対物レンズ１及び第２対物レンズ２に形成されている
ので、前記第１対物レンズ１及び第２対物レンズ２が光ディスクの信号面方向に異常動作によって変位しても集光レンズ部１ａ及び２ａの上面が該光ディスクに当接することはなく、集光レンズ部１ａ及び２ａの上面が損傷することを防止することが出来る。
【００３４】
３は光ピックアップ装置を構成する基台(図示せず)に設けられている印刷配線基板に一端が固定されているとともに導電体より成る複数の支持ワイヤー４にて光ディスクの信号面に対して垂直方向であるフォーカス方向及び光ディスクの径方向であるトラッキング方向への変位を可能に支持されているレンズホルダーであり、前記第１対物レンズ１を構成する集光レンズ部１ａの下面が挿入される第１取付孔５及び前記第２対物レンズ２を構成する集光レンズ部２ａの下面が挿入される第２取付孔６が形成されている。
【００３５】
前記第１取付孔５及び第２取付孔６は、各取付孔に挿入される第１対物レンズ１の光軸中心軸と第２対物レンズの光軸中心軸を結ぶ直線(破線Ａで示す)が光ディスクの径方向と一致するように設けられている。
【００３６】
７は前記レンズホルダー３の側壁に設けられているとともに前記支持ワイヤー４からフォーカス駆動信号が供給されるフォーカスコイルであり、前記基台に固定されているマグネット(図示せず)との協働によってレンズホルダー３をフォーカス方向、即ち矢印Ｂ及びＣ方向へ変位させる作用を成すものである。また、前記レンズホルダー３には該レンズホルダー３をトラッキング方向へ変位させるトラッキングコイル(図示せず)が設けられている。
【００３７】
８ａ及び８ｂは、前記第１取付孔５の周縁平坦部５ａに第１対物レンズ１の光軸中心を中心として点対称となる位置に設けられている第１及び第２の調整用突部であり、前記第１対物レンズ１の鍔部１ｂの下面が載置されるように構成されている。９ａ及び９ｂは、前記第２取付孔６の周縁平坦部６ａに第２対物レンズ２の光軸中心を中心として点対称となる位置に設けられている第３及び第４の調整用突部であり、前記第２対物レンズ２の鍔部２ｂの下面が載置されるように構成されている。
【００３８】
斯かる構成において、前記第１調整用突部８ａ、第２調整用突部８ｂ、第３調整用突部９ａ及び第４調整用突部９ｂは、光ディスクの径方向と一致する直線上に位置するように、即ち前述した破線Ａで示す直線上に位置するように前記レンズホルダー３上に形成されている。
【００３９】
１０は前記第１取付孔５の周縁平坦部５ａに設けられているとともに第１対物レンズ１の鍔部１ｂと緩く当接し、該第１対物レンズ１の位置規制を行う第１対物レンズ用取付位置規制部材であり、紫外線硬化型の接着剤が塗布載置される接着剤載置部１０ａが設けられている。１１は前記第２取付孔６の周縁平坦部６ａに設けられているとともに第２対物レンズ２の鍔部２ｂと緩く当接し、該第２対物レンズ２の位置規制を行う第２対物レンズ用取付位置規制部材である。第２対物レンズ６を接着固定する紫外線硬化型の接着剤は、前記各第２対物レンズ用取付位置規制部材１１間にある周縁平坦部６ａに塗布載置されるように構成されている。
【００４０】
以上に説明したように本発明の光ピックアップ装置に係るレンズホルダー３は構成されているが、次に該レンズホルダー３への第１対物レンズ１及び第２対物レンズ２の固定動作について、図２及び図３を参照して説明する。
【００４１】
図２及び図３において、１２は第１対物レンズ１のレンズホルダー３への固定動作時使用される基準ディスクであり、基準となるように位置決めされたターンテーブル(図示せず)上に固定されている。
【００４２】
レンズホルダー３への第１対物レンズ１及び第２対物レンズ２の固定動作は、レンズホルダー３を支持ワイヤー４にて印刷配線基板やマグネットが固定されている基台に対してフォーカス方向及びトラッキング方向への変位を可能な状態になるように組み込んだ状態にて行われる。
【００４３】
図２に示した状態は、レンズホルダー３に設けられている第１取付孔５に第１対物レンズ１の集光レンズ部１ａを挿入させた状態を示すものであり、第１対物レンズ１を構成する鍔部１ｂの下面は第１調整用突部８ａ及び第２調整用突部８ｂ上に載置された状態になる。また、第１対物レンズ用取付位置規制部材１０が第１対物レンズ１の鍔部１ｂに緩く当接し、第１対物レンズ１の水平方向の変位を規制する状態にある。
【００４４】
斯かる状態にあるとき、図２より明らかなように第１対物レンズ１は前記第１調整用突部８ａ及び第２調整用突部８ｂを支点として矢印Ｄ方向への回動変位が可能な状態にあり、固定される前の状態では、図示したように傾斜した状態にある。そして、斯かる状態にあるとき、前記第１対物レンズ用取付位置規制部材１０に形成されている接着剤載置部１０ａに紫外線硬化型接着剤が塗布載置される。斯かる紫外線硬化型接着剤は、周知のように紫外線が照射されることによって硬化するものであり、光ピックアップ装置においては、一般に使用されるものである。
【００４５】
図２は前述した組み立て動作が行われた状態を示すものであり、斯かる状態において、レンズホルダー３に設けられているフォーカスコイル７に対して駆動電流を供給させる動作が行われる。斯かる場合において、前記フォーカスコイル７に供給される駆動電流は支持ワイヤー４を通して行われるが、駆動電流の方向はレンズホルダー３を上方、即ち矢印Ｂ方向へ変位させる方向に行われる。
【００４６】
前記レンズホルダー３が矢印Ｂ方向へ変位すると、図３に示すように基準ディスク１２の基準面１２ａに第１対物レンズ１に設けられている鍔部１ｂの上面１ｃが押圧当接されることになる。その結果、第１対物レンズ１は第１調整用突部８ａ及び第２調整用突部８ｂを支点として回動変位せしめられることになる。図２に示した実施例では、時計方向に回動せしめられる。
【００４７】
このように第１対物レンズ１に設けられている鍔部１ｂの上面１ｃを基準ディスク１２の基準面１２ａに押圧当接させると、第１対物レンズ１を第１調整用突部８ａ及び第２調整用突部８ｂを支点として回動変位させることが出来るので、レンズホルダー３と基準ディスク１２との位置関係を正確に設定すれば、第１対物レンズ１を最適取付位置に回動変位させることが出来る。
【００４８】
図３は、前述した動作によって第１対物レンズ１を最適取付位置に回動変位させた状態を示すものであり、斯かる状態を保持させた状態のままで、接着剤載置部１０ａに塗布載置されている紫外線硬化型接着剤に紫外線を照射させる動作が行われる。斯かる紫外線の照射動作が行われると、接着剤が硬化するため、第１対物レンズ１を図３に示した位置にてレンズホルダー３に対して固定することが出来る。
【００４９】
紫外線照射による接着剤の硬化動作が行われた後、フォーカスコイル７への駆動電流の供給動作を停止すると、レンズホルダー３は図２に示す位置まで降下し、第１対物レンズ１のレンズホルダー３への取付作業が終了することになる。
【００５０】
前述したように第１対物レンズ１のレンズホルダー３への取付動作は行われるが、第２対物レンズ２のレンズホルダー３への取付動作も同様に行われるので、その説明は省略す
る。
【００５１】
前述した動作は、第１対物レンズ１及び第２対物レンズ２を個別にレンズホルダー３に取り付ける場合であるが、本発明では、同時に取り付けることも出来る。即ち、斯かる動作は、第１取付孔５及び第２取付孔６に夫々第１対物レンズ１及び第２対物レンズ２を載置させた状態にて行われるが、斯かる場合には基準ディスク１２の基準面１２ａに第１対物レンズ１用の第１基準面と第２対物レンズ２用の第２基準面を設ける必要がある。
【００５２】
勿論、第１対物レンズ１と第２対物レンズ２の光ディスクに対する位置関係や鍔部１ｂ及び２ｂの高さを調整することによって同一の基準面を使用して取付動作を行うことが出来るように構成することも出来る。
【図面の簡単な説明】
【００５３】
【図１】本発明の光ピックアップ装置の要部を示す分解斜視図である。
【図２】対物レンズの調整固定動作を行う途中の状態を示す要部の正面図である。
【図３】対物レンズの調整固定動作が行われた状態を示す要部の正面図である。
【図４】本発明に係る対物レンズの構成を示す側断面図である。
【符号の説明】
【００５４】
１      第１対物レンズ
１ａ    集光レンズ部
１ｂ    鍔部
２      第２対物レンズ
２ａ    集光レンズ部
２ｂ    鍔部
３      レンズホルダー
４      支持ワイヤー
５      第１取付孔
６      第２取付孔
７      フォーカスコイル
８ａ    第１調整用突部
８ｂ    第２調整用突部
９ａ    第３調整用突部
９ｂ    第４調整用突部
１２    基準ディスク
【図１】
2008300009.tif 000003
【図２】
2008300009.tif 000004
【図３】
2008300009.tif 000005
【図４】
2008300009.tif 000006